(57)【特許請求の範囲】
【請求項１】
パンク修理液を収容する容器と、前記パンク修理液をタイヤへ注入する注入手段と、これらを収納する袋体とからなるパンク修理装置を用いたパンク修理方法であって、前記袋体が、前記容器及びコンプレッサを同時に収容可能で、かつ前記容器及びコンプレッサを拘束可能にする環状部材を有しており、前記注入手段を前記容器に接続し、該容器及びコンプレッサを前記袋体に収容すると共に、前記環状部分により前記容器及びコンプレッサを拘束し、タイヤに組み付けられたホイールのタイヤバルブと、前記容器及びコンプレッサを前記注入手段で接続し、前記コンプレッサから前記容器へ圧縮空気を供給することにより、前記容器内を加圧してパンク修理液をタイヤ内に注入することを特徴とするパンク修理方法。
【請求項２】
前記袋体が、前記容器及び注入手段を保管時に収納可能にすることを特徴とする請求項１に記載のパンク修理方法。
【請求項３】
前記環状部材が、前記袋体の開口端部に配置されたことを特徴とする請求項１又は２に記載のパンク修理方法。
【請求項４】
前記環状部材が、前記袋体の開口端部と底部との間に配置されたことを特徴とする請求項１，２又は３に記載のパンク修理方法。
【発明の詳細な説明】
【技術分野】
【０００１】
本発明は、パンク修理装置を用いたパンク修理方法に関し、更に詳しくは、簡単な構成でパンク修理液収容容器を安定に固定できるようにしたパンク修理装置を用いたパンク修理方法に関する。
【背景技術】
【０００２】
近年、車両に装着された空気入りタイヤがパンクした際に、タイヤ内にパンク修理液及び圧縮空気を注入することにより、パンクを応急的に修理すると同時にタイヤ内に空気を充填するようにしたパンク修理装置（パンク修理キット）が知られている。このようなパンク修理装置を用いることで、車両にスペアタイヤを搭載する必要がなくなるため、省資源化や車両の軽量化を図ることができる。またスペアタイヤを搭載するためのスペースを他の用途に利用することができるという利点もある。
【０００３】
このパンク修理方法は、例えば図６に示すように、パンク修理液を収容した容器３１にコンプレッサ１０を接続し、このコンプレッサ１０から容器３１へ圧縮空気を供給することにより容器３１内を加圧して、タイヤ２０に組み付けられたホイール２１のタイヤバルブ２２からパンク修理液及び圧縮空気をタイヤ内に注入するものである。ここで容器３１は、パンク修理液をタイヤ内に注入している間、転倒したり、傾斜したりしないように安定した姿勢に固定されている必要がある。このため特許文献１は、容器３１の外側面とコンプレッサ１０の外側面との間に面ファスナー３２を介在させることにより、容器３１をコンプレッサ１０の側面に固定することを提案している。このパンク修理方法によれば、パンク修理液をタイヤ内に注入している間、容器３１を安定した姿勢で固定することができる。
【０００４】
しかし、このようなパンク修理装置を用いて一度パンク修理を行うと、パンク修理液を収容した容器を新たに準備し車両に搭載しておく必要があり、その新しい容器は、その外側面に面ファスナーを備えていなくてはならない。このため、より汎用性があり、簡単な構成のパンク修理装置及びそれを用いたパンク修理方法が求められていた。
【先行技術文献】
【特許文献】
【０００５】
【特許文献１】特開２０１０−１２０２５０号公報
【発明の概要】
【発明が解決しようとする課題】
【０００６】
本発明の目的は、簡単な構成でパンク修理液収容容器を安定に固定できるようにしたパンク修理装置を用いたパンク修理方法を提供することにある。
【課題を解決するための手段】
【０００７】
上記目的を達成する本発明のパンク修理方法で使用するパンク修理装置は、パンク修理液を収容する容器と、前記パンク修理液をタイヤへ注入する注入手段と、これらを収納する袋体とからなるパンク修理装置であって、前記袋体が、前記容器及びコンプレッサを同時に収容可能であり、かつ前記容器及びコンプレッサを拘束する環状部材を有することを特徴とする。
【０００８】
本発明のパンク修理方法は、上述したパンク修理装置を用い、前記注入手段を前記容器に接続し、該容器及びコンプレッサを前記袋体に収容すると共に、前記環状部分により前記容器及びコンプレッサを拘束し、タイヤに組み付けられたホイールのタイヤバルブと、前記容器及びコンプレッサを前記注入手段で接続し、前記コンプレッサから前記容器へ圧縮空気を供給することにより、前記容器内を加圧してパンク修理液をタイヤ内に注入することを特徴とする。
【発明の効果】
【０００９】
本発明のパンク修理方法で使用するパンク修理装置は、パンク修理液を収容する容器及びコンプレッサを袋体に収容し、袋体に備えられた環状部材で両者を拘束するようにしたので、パンク修理液の注入操作をする間、パンク修理液収容容器を安定的に固定することができる。
【００１０】
前記袋体は、前記容器及び注入手段を収納できることが好ましく、車両に搭載するときパンク修理液収容容器を保護すると共に、パンク修理装置の容積を小さくすることができる。
【００１１】
前記環状部材としては、前記袋体の開口端部に配置することができ、パンク修理液の注入操作時に、容器を安定して固定することができる。また環状部材は、前記袋体の開口端部と底部との間に配置することもできる。
【００１２】
本発明のパンク修理方法は、上述したパンク修理装置を使用し、パンク修理液収容容器を安定に固定して、パンク修理液をコンプレッサから供給された圧縮空気と共に、タイヤ内部に注入することができるので、パンク修理を容易にかつ確実に行うことができる。
【図面の簡単な説明】
【００１３】
【図１】本発明で使用するパンク修理装置の保管時の形態を例示する説明図である。
【図２】本発明で使用するパンク修理装置において容器及びコンプレッサを拘束した実施形態を例示する説明図である。
【図３】本発明で使用するパンク修理装置において容器及びコンプレッサを拘束した他の実施形態を例示する説明図である。
【図４】本発明で使用するパンク修理装置において容器及びコンプレッサを拘束した更に他の実施形態を例示する説明図である。
【図５】本発明のパンク修理方法の実施形態を例示する模式図である。
【図６】従来のパンク修理方法の実施形態を示す模式図である。
【発明を実施するための形態】
【００１４】
本発明のパンク修理方法で使用するパンク修理装置は、パンク修理液を収容する容器と、容器内のパンク修理液をタイヤへ注入する注入手段と、これらを収納する袋体とからなる。本明細書において、注入手段とは、特に限定されるものではなく、パンク修理液収容容器内のパンク修理液を、タイヤへ注入するときに使用される器具、接続具及びホース類を広く意味する。例えばパンク修理液をタイヤへ注入するのに使用する管やホースを容器に接続する接続具（例えば注入用キャップ）、圧縮空気を容器内へ取り入れる取入管、容器内部から外部へパンク修理液を圧縮空気と共に排出する吐出管、吐出されたパンク修理液をタイヤへ移送する注入用ホースなどを例示することができる。注入手段としては、これらの例に限定されるものではない。
【００１５】
図１は、本発明のパンク修理方法で使用するパンク修理装置を保管するときや、車両に搭載するときの形態の一例を模式的に示す説明図である。
【００１６】
図１において、パンク修理装置１は、少なくともパンク修理液を収容する容器２と、注入手段と、これらを収納する袋体３とからなる。図示の例では、注入手段として、注入用キャップ５、取入管１１、吐出管１２及び注入用ホース６を例示するが、本発明における注入手段は、これらの例に限定されるものではない。
【００１７】
図１に例示された注入用キャップ５は、パンク修理液を注入するときに使用するキャップであり、取入管１１、吐出管１２及び注入用ホース６を有し、これら部材と容器とを接続するとき、封止用キャップと交換して使用する。また袋体３は、環状部材４を有する。図１に示すように、袋体３の内部に、容器及び注入手段を収容することが好ましく、例えば容器２と、取入管１１、吐出管１２及び注入用ホース６を備えた注入用キャップ５とを収納することができるとよく、パンク修理液を収容した容器２を保護すると共に、保管時のパンク修理装置の容積を小さくすることができる。
【００１８】
容器２は、気密性、耐薬品性及び耐圧性が高い容器であれば、パンク修理液を収容するために通常用いられるものを使用することができる。容器２は、開口部を封止用キャップやシール部材等で封止された状態で車両に搭載され、パンク修理液の注入作業を行うとき、封止用キャップ及びシール部材を剥がし、例えば取入管１１、吐出管１２及び注入用ホース６を備えた注入用キャップ５のような接続具に付け替えることにより、取入管１１、吐出管１２及び注入用ホース６を容器２に接続して使用する。
【００１９】
取入管１１は、コンプレッサと接続し、コンプレッサから供給される圧縮空気を容器２の内部に取り入れる管である。吐出管１２は、容器２の内部から外部へパンク修理液を圧縮空気と共に排出する管である。また注入用ホース６は、吐出管１２とタイヤに組み付けられたホイールのタイヤバルブとを接続する圧力ホースであり、容器２の内部から吐出管１２を通して吐出されるパンク修理液及び圧縮空気をタイヤバルブからタイヤ内部へ供給する。これら取入管１１、吐出管１２及び注入用ホース６を備えた注入用キャップ５は、容器に接続可能であれば特に制限されることなく、パンク修理装置に通常用いられるものを広く使用することができる。
【００２０】
本発明において、袋体３の大きさは、図２に示すように容器２及びコンプレッサ１０を同時に収納することができる大きさであることが必要である。特に容器２及びコンプレッサ１０を横に並べ隣り合わせるように収納することが好ましい。袋体３としては、透明又は網目状の素材で形成され、コンプレッサの表示部を視認できるものが好ましい。また袋体３を構成する素材は、伸縮性があり容器２及びコンプレッサ１０を適度に締め付けて拘束するものであることが好ましい。とりわけ袋体３としては、樹脂等からなる網目状のネットで形成されていることが好ましい。
【００２１】
また袋体３は環状部材４を備え、この環状部材４が容器２及びコンプレッサ１０を拘束することにより、容器からタイヤへパンク修理液を注入する間、容器２が大きく傾いたり、転倒したりするのを防ぐことができる。環状部材４としては、容器２及びコンプレッサ１０を拘束し得るものであれば、特に制限されるものではなく、例えば紐、ゴム紐、針金等を例示することができる。なお環状部材４の形態は、初めから環状である必要はなく、紐、ゴム紐、針金等を結えたり、二重以上に巻き付けたりすることにより、最終的に環を形成するものであればよい。なお環の形状は、円形、楕円形、角形、不定形から選ばれるいずれでもよい。
【００２２】
環状部材４を構成する紐は、柔軟性及び／又は伸縮性のあるものが好ましく、適当な張力がかかるように結ぶことにより、容器及びコンプレッサを容易に拘束することができる。ゴム紐は、初めから環状のゴムであっても、線状のゴム紐であってもよい。なお環状部材４を環状のゴムで構成することにより、容器及びコンプレッサを一層容易に拘束することができる。また針金としては、針金を芯材としてその周りを樹脂等で被覆したものが好ましい。容器及びコンプレッサの外周の形状に沿うように、針金を塑性変形させることにより、容器及びコンプレッサを容易に拘束することができる。
【００２３】
環状部材４により、容器２及びコンプレッサ１０を拘束する位置は、特に制限されるものではなく、図２に示すように、環状部材４が容器２の肩部を通るようにしてもよいし、或いは図３に示すように、環状部材４が容器２の胴部を通るようにしてもよい。特に環状部材４が容器２の胴部を通るようにして拘束することにより、容器２内の修理液の量が少なくなったとき、すなわちパンク修理液の注入の最終段階でも容器２を安定して拘束することができる。
【００２４】
図１〜３において、環状部材４を袋体３の開口端部に配置した形態を例示したが、環状部材４を袋体３に取り付ける位置は、開口端部に限定されるものではない。例えば図４に示すように、環状部材４を、袋体の開口端部と底部との間の任意の位置、好ましくは容器２の胴部及びコンプレッサ１０の側面を１周するように巻回可能にする位置に配置し、容器２及びコンプレッサ１０を確実に拘束することができる。なお環状部材４は、袋体の開口端部と、開口端部と底部との間の両方に配置してもよいし、いずれか一方だけに配置してもよい。
【００２５】
図５は、本発明のパンク修理方法の実施形態を例示する模式図である。図示の例では、注入手段として、注入用キャップ５、取入管１１、吐出管１２及び注入用ホース６を例示するが、本発明における注入手段は、これらの例に限定されるものではない。
【００２６】
パンク修理方法では、先ず容器２の封止キャップや開口部を封止したシール部材を剥がし、取入管１１、吐出管１２及び注入用ホース６を備えた注入用キャップ５を装着する。取入管１１は、容器２とコンプレッサとを接続し、圧縮空気を容器２の内部に取り入れる管である。吐出管１２は、容器２の内部から外部へパンク修理液を圧縮空気と共に排出する管である。またまた注入用ホース６は、吐出管１２とタイヤ２０に組み付けられたホイール２１のタイヤバルブ２２と吐出管１２を接続し、容器２の内部から吐出されるパンク修理液及び圧縮空気をタイヤバルブ２２からタイヤ内部へ供給する圧力ホースである。
【００２７】
次いで袋体３に備えられた環状部材４の内側に、容器２及びコンプレッサ１０を横並びに隣り合わせるように収納し、環状部材４の両端を結び合わせることにより、容器２及びコンプレッサ１０を拘束する。ここで環状部材４が環状ゴムであるときは、環状ゴムの内径を大きくするように外力を加えて引き伸ばし、その環状ゴムの内側に容器２及びコンプレッサ１０を横並びに配置した後、外力をなくすことにより容器２及びコンプレッサ１０を拘束する。また環状部材４が針金であるときは、容器２及びコンプレッサ１０の外周の形状に沿わせるように、針金を変形させることにより、容器２及びコンプレッサ１０を拘束する。
【００２８】
またタイヤ２０に組み付けられたホイール２１のタイヤバルブ２２と吐出管１２の間を注入用ホース２３で接続し、コンプレッサ１０と取入管１１の間を加圧用ホース２４で接続する。コンプレッサ１０のコード１４の先端のプラグ１３を外部電源に接続し、コンプレッサ１０を作動させる。
【００２９】
コンプレッサ１０の作動により圧縮空気が、加圧用ホース２４及び取入管１１を通り、容器２の内部へ圧入される。これにより容器２の内部が加圧されるので、パンク修理液及び圧縮空気が、吐出管１２、注入用ホース２３及びタイヤバルブ２２を通って、タイヤ２０の内部へ注入される。
【００３０】
本発明の方法では、容器２及びコンプレッサ１０を、環状部材４を備えた袋体３により拘束することにより、注入開始時に容器２内のパンク修理液の量が多いときから、注入終了時に容器２内のパンク修理液がほとんどなくなるときまで、容器２を所定の方向に保持するので、パンク修理液を安定して注入することができる。
【実施例】
【００３１】
実施例１
図１に示したパンク修理装置を使用し、図５に示したパンク修理方法を実施した。パンク修理液収容容器は、肉厚が約２．０ｍｍのプラスチック製で、パンク修理液の容量は４５０ｍｌである。袋体は、網目状のネットで形成され、その開口端部に綿製の紐を二重巻きにした環状部材を配置するように構成した。
【００３２】
雰囲気温度２２℃の作業環境において、タイヤサイズ２１５/６０Ｒ１６のタイヤ内の空気が完全に抜けた状態で、コンプレッサから供給される圧縮空気（圧力：４００ｋＰａ）を上向きに固定したパンク修理液収容容器に供給し、容器内のパンク修理液を圧縮空気と共にタイヤ内に注入した。その結果、約２５秒で注入を完了した。パンク修理液の注入開始から完了まで、容器及びコンプレッサを安定して拘束し、パンク修理液を容易にかつ安定して注入することができた。
【００３３】
実施例２
環状部材として、二重巻きの綿製の紐の代わりに、環状ゴムを配置したことを除き、実施例１と同様にしてパンク修理液の注入を実施した。その結果、約２３秒で注入を完了した。パンク修理液の注入開始から完了まで、容器及びコンプレッサを安定して拘束し、パンク修理液を容易にかつ安定して注入することができた。
【００３４】
実施例３
環状部材として、二重巻きの綿製の紐の代わりに、樹脂で被覆した針金を配置したことを除き、実施例１と同様にしてパンク修理液の注入を実施した。その結果、約２４秒で注入を完了した。パンク修理液の注入開始から完了まで、容器及びコンプレッサを安定して拘束し、パンク修理液を容易にかつ安定して注入することができた。
【符号の説明】
【００３５】
１    パンク修理装置
２    容器
３    袋体
４    環状部材
４１  環状部材
５    注入用キャップ
６    注入用ホース
１０  コンプレッサ
１１  取入管
１２  吐出管
２０  タイヤ
２１  ホイール
２２  タイヤバルブ
２４  加圧用ホース
【図１】
0005929477.tif 000002
【図２】
0005929477.tif 000003
【図３】
0005929477.tif 000004
【図４】
0005929477.tif 000005
【図５】
0005929477.tif 000006
【図６】
0005929477.tif 000007